(57)【要約】      （修正有）【課題】遊技盤自体を拡大することなく遊技領域を拡大した遊技機を提供する。【解決手段】遊技球発射装置４０からの遊技球Ｂを遊技盤３０の背面側の所定箇所まで誘導案内する誘導通路部６０と、遊技盤３０を背面側から前面側に貫通した通路であって、その背面側の開口部が誘導通路部６０に連通された貫通通路部６２と、入力側開口部が貫通通路部６２に連通され、かつ、出力側開口部が遊技盤３０の前面側で遊技領域３１の面に対して垂直に向けられた、遊技領域３１から外側への方向から当該遊技領域３１に平行となる方向に曲げられた曲通路部７０とを備えているので、遊技球発射装置４０からの遊技球Ｂは、遊技盤３０の背面側の誘導通路部６０を通って遊技領域３１の方に誘導案内されるので、遊技盤の前面側の誘導領域を不要にでき、その分遊技領域を拡大することができ、遊技盤自体を拡大することなく遊技領域を拡大した遊技機を提供できる。【選択図】図１
2006115959.tif 000002
【特許請求の範囲】
【請求項１】
遊技者が操作可能な操作手段と、前記操作手段の操作に応じて遊技球を発射させる遊技球発射手段と、発射された遊技球が転動可能な遊技領域を前面側に有する遊技盤とを備えた遊技機において、
前記遊技盤の前面側に形成された遊技領域の背面側に設けられた、前記遊技球発射手段により発射された遊技球を前記遊技盤の背面側の所定箇所まで誘導案内する誘導通路部と、
前記遊技盤をその背面側から前面側に貫通した通路であって、その背面側の開口部が前記誘導通路部に連通された貫通通路部と、
入力側開口部が前記貫通通路部の前面側の開口部に連通され、出力側開口部が前記遊技盤の前面側で遊技領域面に対して垂直または略垂直に向けられた、前記遊技盤の遊技領域から外側に向かう方向から当該遊技領域に平行となる方向に曲げられた曲通路部と、
を備えていることを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばパチンコ機がある。このパチンコ機は、例えば、当該遊技機の外郭を形成し遊技島に固定される外枠と、この外枠に対して開閉自在に取り付けられる、遊技球が転動可能な遊技領域を前面側に形成した遊技盤などが固定される内枠と、この内枠に対して開閉自在に取り付けられ、遊技領域を視認可能な視認窓を含む前面枠とを備えている。また、遊技盤の前面側には、誘導レールによって遊技領域と区画され、遊技球発射装置から発射された遊技球を遊技領域に誘導するための誘導領域が備えられている。つまり、遊技盤の前面側において、遊技領域に併設して誘導領域が設けられている。また、遊技盤の遊技領域には、遊技者にとって有利な遊技状態の獲得についての抽選結果などを表示する表示装置が設置されている（例えば、特許文献１参照）。
【特許文献１】特開２００１−２３２０２３号公報（第４−５頁，第２図）
【発明の開示】
【発明が解決しようとする課題】
【０００３】
しかしながら、このような構成を有する従来例の場合には、次のような問題がある。
すなわち、従来のパチンコ機では、近年、例えば遊技領域に配置される表示装置の大型化が進んでおり、表示装置の大型化に伴い遊技領域が狭くなってしまうため、遊技球の動きによる面白みを付与しづらいという問題が生じており、遊技領域を確保するための解決策が望まれている。
【０００４】
だからと言って、遊技盤を大きくすることで遊技領域を確保しようとすると、遊技機の外枠の大きさを変更することになり、遊技島への設置スペースが変わってしまうため、遊技島自体の設備などの変更が必要となる。そのため、遊技盤自体を大きくすることは限界がある。
【０００５】
本発明は、このような事情に鑑みてなされたものであって、遊技盤自体を拡大することなく遊技領域を拡大した遊技機を提供することを目的とする。
【課題を解決するための手段】
【０００６】
この発明は、このような目的を達成するために、次のような構成をとる。
すなわち、請求項１に記載の発明は、
遊技者が操作可能な操作手段と、前記操作手段の操作に応じて遊技球を発射させる遊技球発射手段と、発射された遊技球が転動可能な遊技領域を前面側に有する遊技盤とを備えた遊技機において、
前記遊技盤の前面側に形成された遊技領域の背面側に設けられた、前記遊技球発射手段により発射された遊技球を前記遊技盤の背面側の所定箇所まで誘導案内する誘導通路部と、
前記遊技盤をその背面側から前面側に貫通した通路であって、その背面側の開口部が前記誘導通路部に連通された貫通通路部と、
入力側開口部が前記貫通通路部の前面側の開口部に連通され、出力側開口部が前記遊技盤の前面側で遊技領域面に対して垂直または略垂直に向けられた、前記遊技盤の遊技領域から外側に向かう方向から当該遊技領域に平行となる方向に曲げられた曲通路部と、
を備えていることを特徴とするものである。
【０００７】
［作用・効果］請求項１に記載の発明によれば、遊技球発射手段は、遊技者による操作手段の操作に応じて遊技球を発射する。誘導通路部は、遊技盤の遊技領域の背面側に設けられており、遊技球発射手段により発射された遊技球を遊技盤の背面側の所定箇所まで誘導案内する。貫通通路部は、遊技盤をその背面側から前面側に貫通した通路であって、その背面側の開口部が誘導通路部に連通されたものであり、誘導通路部を通過してきた遊技球が通過する。曲通路部は、遊技盤の遊技領域から外側に向かう方向から当該遊技領域に平行となる方向に曲げられたものであり、その入力側開口部が貫通通路部の前面側の開口部に連通され、その出力側開口部が遊技盤の前面側で遊技領域面に対して垂直または略垂直に向けられている。貫通通路部を通過してきた遊技球は、曲通路部に沿って通過していくことで、遊技領域に対して平行に出力される。このようにして遊技領域に打ち込まれた遊技球は、当該遊技領域を転動する。
【０００８】
したがって、遊技球発射手段から発射された遊技球は、遊技盤の遊技領域の背面側に設けられた誘導通路部を通って遊技領域の方に誘導案内されるので、従来例のような遊技盤の前面側の誘導領域を設けることを不要にでき、当該誘導領域が無くなった分、遊技領域を拡大することができる。しかも、曲通路部によって遊技球を遊技領域に対して平行に出力することができるので、遊技盤の背面側から前面側に供給されてきた遊技球が、遊技領域に対して所定間隔（例えば遊技球２個分程度の間隔）を空けて配設されている視認窓（ガラス板）に直接に衝突するようなことを防止でき、前記の衝突に起因する視認窓（ガラス板）の損傷を解消することができる。
【０００９】
その結果、遊技盤自体を拡大することなく遊技領域を拡大した遊技機を提供することができる。
【００１０】
なお、遊技球を遊技領域に対して平行に出力するという観点からすれば、前述したように、曲通路部の出力側開口部は、遊技盤の前面側で遊技領域面に対して垂直または略垂直に向けることが好ましいが、視認窓への遊技球衝突による視認窓の損傷を防止する観点からすれば、遊技盤の前面側に斜め方向に遊技球が入射してくるようにしてもよい。
【００１１】
なお、本明細書は、次のような遊技機に係る発明も開示している。
【００１２】
（１）  遊技者が操作可能な操作手段と、前記操作手段の操作に応じて遊技球を発射させる遊技球発射手段と、発射された遊技球が転動可能な遊技領域を前面側に有する遊技盤とを備えた遊技機において、
前記遊技盤の前面側に形成された遊技領域の背面側に設けられた、前記遊技球発射手段により発射された遊技球を前記遊技盤の背面側の所定箇所まで誘導案内する誘導通路部と、
前記遊技盤をその背面側から前面側に貫通した通路であって、その背面側の開口部が前記誘導通路部に連通された貫通通路部と、
を備え、
前記誘導通路部は、柔軟性部材で形成されている
ことを特徴とする遊技機。
【００１３】
前記（１）に記載の発明によれば、遊技球発射手段は、遊技者による操作手段の操作に応じて遊技球を発射する。誘導通路部は、柔軟性部材で形成されたものであり、遊技盤の遊技領域の背面側に設けられており、遊技球発射手段により発射された遊技球を遊技盤の背面側の所定箇所まで誘導案内する。貫通通路部は、遊技盤をその背面側から前面側に貫通した通路であって、その背面側の開口部が誘導通路部に連通されたものであり、誘導通路部を通過してきた遊技球が通過する。このようにして貫通通路部から遊技領域に出力された遊技球は、当該遊技領域を転動する。
【００１４】
したがって、遊技球発射手段から発射された遊技球は、遊技盤の遊技領域の背面側に設けられた誘導通路部を通って遊技領域の方に誘導案内されるので、従来例のような遊技盤の前面側の誘導領域を設けることを不要にでき、当該誘導領域が無くなった分、遊技領域を拡大することができる。しかも、誘導通路部は柔軟性部材で形成されたものとしているので、その通路形状に柔軟性があり、遊技球の通過に悪影響が生じない範囲内で自由に曲げたりでき、遊技機の機種変更などの場合ように遊技盤の背面側の部品装備状態が設計変更されたとしても柔軟に対応することができる。
【００１５】
その結果、遊技盤自体を拡大することなく遊技領域を拡大でき、かつ、誘導通路部の自由度を向上させることができる遊技機を提供することができる。
【００１６】
（２）  遊技者が操作可能な操作手段と、前記操作手段の操作に応じて遊技球を発射させる遊技球発射手段と、発射された遊技球が転動可能な遊技領域を前面側に有する遊技盤とを備えた遊技機において、
前記遊技盤の前面側に形成された遊技領域の背面側に設けられた、前記遊技球発射手段により発射された遊技球を前記遊技盤の背面側の所定箇所まで誘導案内する誘導通路部と、
前記遊技盤をその背面側から前面側に貫通した通路であって、その背面側の開口部が前記誘導通路部に連通された貫通通路部と、
を備え、
前記遊技盤は、その背面側に削成された溝部を備え、
前記誘導通路部は、前記遊技盤の背面側の前記溝部に嵌め込まれる、内部に遊技球が通過可能な中空筒部としている
ことを特徴とする遊技機。
【００１７】
前記（２）に記載の発明によれば、遊技球発射手段は、遊技者による操作手段の操作に応じて遊技球を発射する。誘導通路部は、遊技盤の遊技領域の背面側に設けられており、遊技球発射手段により発射された遊技球を遊技盤の背面側の所定箇所まで誘導案内する。この誘導通路部は、遊技盤の背面側に削成された溝部に嵌め込まれる、内部に遊技球が通過可能な中空筒部としている。貫通通路部は、遊技盤をその背面側から前面側に貫通した通路であって、その背面側の開口部が誘導通路部に連通されたものであり、誘導通路部を通過してきた遊技球が通過する。このようにして貫通通路部から遊技領域に出力された遊技球は、当該遊技領域を転動する。
【００１８】
したがって、遊技球発射手段から発射された遊技球は、遊技盤の遊技領域の背面側に設けられた誘導通路部を通って遊技領域の方に誘導案内されるので、従来例のような遊技盤の前面側の誘導領域を設けることを不要にでき、当該誘導領域が無くなった分、遊技領域を拡大することができる。しかも、遊技盤は、その背面側に削成された溝部を備え、誘導通路部は、遊技盤の背面側の溝部に嵌め込まれる、内部に遊技球が通過可能な中空筒部としているので、誘導通路部は遊技盤の厚み方向に埋め込んだ格好となり、誘導通路部の遊技盤の背面側への突出量を低減でき、誘導通路部のスペースを最小限に抑えることができ、スペースメリットを出すことができる。
【００１９】
その結果、遊技盤自体を拡大することなく遊技領域を拡大でき、かつ、誘導通路部のスペースを最小限に抑えることができる遊技機を提供することができる。
【００２０】
（３）  請求項１に記載の遊技機、または、前記（１）または（２）に記載の遊技機において、
前記遊技球発射手段は前記遊技盤の背面側に設けられていることを特徴とする遊技機。
【００２１】
前記（３）に記載の発明によれば、遊技球発射手段は遊技盤の背面側に設けられているので、誘導通路部、つまり、遊技球発射手段で発射された遊技球を遊技盤の背面側の所定箇所まで誘導案内する通路を短くでき、従来例のものと比べて遊技球発射手段での発射出力が小さくて済む。また、遊技盤の前面側で、かつ、遊技盤の下方位置に存在していた従来例の遊技球発射装置や発射レールを除去できるので、その空いたスペースを利用することができる。例えば、遊技盤をその下方方向に拡大することができ、下方方向に拡大した遊技領域を形成することができる。
【００２２】
（４）  請求項１に記載の遊技機において、
前記曲通路部は、前記貫通通路部を通過してきた遊技球が接触して遊技領域に平行に出力されるように曲げられた曲面部を備えていることを特徴とする遊技機。
【００２３】
前記（４）に記載の発明によれば、曲面部は、貫通通路部を通過してきた遊技球が接触して遊技領域に平行に出力されるように曲げられたものとなっており、貫通通路部からの遊技球が曲面部を摺接することで方向変更されて遊技領域に平行に出力されるので、遊技盤の背面側から前面側に供給されてきた遊技球が、遊技領域に対して所定間隔（例えば遊技球２個分程度の間隔）を空けて配設されている視認窓（ガラス板）に直接に衝突するようなことを防止でき、前記の衝突に起因する視認窓（ガラス板）の損傷を解消することができる。
【００２４】
（５）  前記（４）に記載の遊技機において、
前記曲通路部は、その入力側開口部に前記貫通通路部が連通された状態において、前記曲面部での遊技球入力側の端部を前記貫通通路部に付勢させる付勢手段を備えていることを特徴とする遊技機。
【００２５】
前記（５）に記載の発明によれば、付勢手段は、曲通路部の入力側開口部に貫通通路部が連通された状態において、曲面部での遊技球入力側の端部を貫通通路部に付勢させるので、曲面部での遊技球入力側の端部を隙間無く貫通通路部に当接させることができ、貫通通路部を曲通路部に高精度に取り付ける必要がなく、貫通通路部の曲通路部に対する取り付け誤差を吸収することができる。また、貫通通路部の取り付け作業を容易にすることができる。
【００２６】
（６）  請求項１に記載の遊技機、または、前記（１）から（５）のいずれか一つに記載の遊技機において、
さらに、前記貫通通路部の取り付け位置を調整自在な位置調整手段を備えていることを特徴とする遊技機。
【００２７】
前記（６）に記載の発明によれば、位置調整手段は、貫通通路部の取り付け位置を調整自在なものとしているので、貫通通路部の取り付け位置を調整でき、遊技球の曲通路部への供給態様を調整することができる。
【００２８】
（７）  前記（２）に記載の遊技機において、
前記溝部は、前記遊技盤の背面側から前面側まで切り抜かれた切り抜き溝部であり、
前記誘導通路部は、前記遊技盤の前記切り抜き溝部に嵌め込まれる、内部に遊技球が通過可能な中空筒部としており、
前記中空筒部は、少なくともその前面側の一部が、当該中空通路部の内部を通過する遊技球を視認可能となっている
ことを特徴とする遊技機。
【００２９】
前記（７）に記載の発明によれば、遊技盤に削成された溝部は、遊技盤の背面側から前面側まで切り抜かれた切り抜き溝部であり、誘導通路部は、遊技盤の切り抜き溝部に嵌め込まれる、内部に遊技球が通過可能な中空筒部としており、この中空筒部は、少なくともその前面側の一部が、当該中空通路部の内部を通過する遊技球を視認可能となっているので、遊技球発射手段から発射された遊技球が誘導通路部を通過していく様子を見ることができる。なお、中空通路部の内部を通過する遊技球を視認可能な構成としては、少なくとも中空筒部の前面側の一部を透明または半透明とすることや、少なくとも中空筒部の前面側の一部に、遊技球が脱出しない程度の大きさの隙間部を設けることが挙げられる。
【００３０】
（８）  前記（７）に記載の遊技機において、
前記中空筒部は、その前面側を前記遊技盤の遊技領域面と同一または略同一として当該遊技盤に取り付けられている
ことを特徴とする遊技機。
【００３１】
前記（８）に記載の発明によれば、中空筒部は、その前面側（正確には前面側の外面）を遊技盤の遊技領域面と同一または略同一として当該遊技盤に取り付けられている。つまり、遊技領域面と中空筒部の前面側とが面一となっているので、遊技領域を転動する遊技球が中空筒部の前面側上を転動することができ、誘導通路部（中空筒部）内を通過する遊技球を視認可能で、かつ、遊技領域のうちで誘導通路部（中空筒部）が存在する領域がデッドスペースとならずに有効活用することができる。
【００３２】
（９）  前記（８）に記載の遊技機において、
前記中空筒部は、その前面側に、遊技球が当たることで遊技球の挙動に変化を与えるための棒状体を備えている
ことを特徴とする遊技機。
【００３３】
前記（９）に記載の発明によれば、中空筒部は、その前面側に、遊技球が当たることで遊技球の挙動に変化を与えるための棒状体（例えば釘など）を備えているので、遊技領域を転動する遊技球が中空筒部の前面側上を転動することができ、しかもその前面側に設けられた棒状体に遊技球が当たることで遊技球の挙動に変化を与えることができ、当該前面側においてもより面白味のある遊技球の挙動を実現でき、さらに、誘導通路部（中空筒部）内を通過する遊技球を視認できる。
【００３４】
（１０）  請求項１に記載の遊技機、または、前記（１）から（９）のいずれか一つに記載の遊技機において、
前記遊技機はパチンコ機であることを特徴とする遊技機。
【００３５】
前記（１０）に記載の遊技機によれば、遊技盤自体を拡大することなく遊技領域を拡大したパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【発明の効果】
【００３６】
この発明に係る遊技機によれば、遊技盤の前面側に形成された遊技領域の背面側に設けられた、前記遊技球発射手段により発射された遊技球を前記遊技盤の背面側の所定箇所まで誘導案内する誘導通路部と、前記遊技盤をその背面側から前面側に貫通した通路であって、その背面側の開口部が前記誘導通路部に連通された貫通通路部と、入力側開口部が前記貫通通路部の前面側の開口部に連通され、出力側開口部が前記遊技盤の前面側で遊技領域面に対して垂直または略垂直に向けられた、前記遊技盤の遊技領域から外側に向かう方向から当該遊技領域に平行となる方向に曲げられた曲通路部と、を備えているので、遊技球発射手段から発射された遊技球は、遊技盤の遊技領域の背面側に設けられた誘導通路部を通って遊技領域の方に誘導案内されるので、従来例のような遊技盤の前面側の誘導領域を設けることを不要にでき、当該誘導領域が無くなった分、遊技領域を拡大することができる。しかも、曲通路部によって遊技球を遊技領域に対して平行に出力することができるので、遊技盤の背面側から前面側に供給されてきた遊技球が、遊技領域に対して所定間隔（例えば遊技球２個分程度の間隔）を空けて配設されている視認窓（ガラス板）に直接に衝突するようなことを防止でき、前記の衝突に起因する視認窓（ガラス板）の損傷を解消することができる。その結果、遊技盤自体を拡大することなく遊技領域を拡大した遊技機を提供することができる。
【発明を実施するための最良の形態】
【００３７】
以下、パチンコ遊技機（以下、単に「パチンコ機」という）の各種の実施の形態を、図面に基づいて詳細に説明する。
【実施例１】
【００３８】
実施例１のパチンコ機を、図面に基づいて詳細に説明する。図１は実施例１のパチンコ機１０の概略正面図であり、図２は実施例１のパチンコ機１０の裏面側で斜め方向から見た概略斜視図である。
【００３９】
図１に示すように、パチンコ機１０は、当該パチンコ機１０の外殻を形成する外枠１２と、この外枠１２の一側部に開閉可能に支持された内枠１４とを備えている。
【００４０】
図１に示すように、内枠１４の開閉軸線Ｊは、パチンコ機１０の正面からみてハンドル（後述する遊技球発射ハンドル１６）設置箇所の反対側（図１のパチンコ機１０の左側）で上下に延びるように設定されており、この開閉軸線Ｊを軸心にして内枠１４が前方側に十分に開放できるようになっている。
【００４１】
内枠１４は、大別すると、その最下部に取り付けられた球皿ユニット１８と、この球皿ユニット１８よりも上側の範囲で内枠１４の左側の上下方向の開閉軸線Ｊを軸心にして開閉自在に取り付けられた前面枠セット２０と、この前面枠セット２０が閉じられた状態で対向する位置にある樹脂ベース（図示省略）と、この樹脂ベースの後側に取り付けられる遊技盤３０とを備えている。
【００４２】
球皿ユニット１８は、内枠１４に対してネジ等の締結具により固定されている。この球皿ユニット１８の前面側には、球皿２２と遊技球発射ハンドル１６とが設けられている。球皿２２は、球皿ユニット１８のほぼ中央部に設けられており、賞球払い出しされた遊技球Ｂが球皿２２内に貯留可能になっており、遊技球Ｂを一旦貯留し、一列に整列させながら遊技球発射装置４０の方へ導出するための球受皿である。
【００４３】
遊技球発射ハンドル１６は、球皿２２よりも右方で手前側に突出して配設されている。遊技者による遊技球発射ハンドル１６の操作に応じて、遊技球発射装置４０によって遊技球Ｂが後述する遊技盤３０の方へ打ち込まれるようになっている。
【００４４】
具体的には、遊技球発射装置４０は、遊技者による操作を受ける遊技球発射ハンドル１６と、この遊技球発射ハンドル１６の操作量に応じた強さで動作するアクチュエータ４２と、アクチュエータ４２によって駆動されるハンマ４４とを備えている。アクチュエータ４２によって駆動されるハンマ４４が遊技球Ｂを打ちつけることにより、遊技球Ｂを発射する。
【００４５】
この実施例１では、遊技球発射装置４０として、遊技球Ｂをハンマ４４で打撃するタイプの構成を採用しているが、遊技球Ｂを電磁方式で射出する電磁式遊技球射出装置など、種々の方式の遊技球発射装置を採用してもよい。なお、上述した遊技球発射ハンドル１６が本発明における操作手段に相当し、上述した遊技球発射装置４０が本発明における遊技球発射手段に相当する。
【００４６】
内枠１４は、外形が矩形状の樹脂ベースを主体に構成されており、樹脂ベースの中央部には略円形状の窓孔２４が形成されている。樹脂ベースの後側には遊技盤３０が着脱可能に装着されている。遊技盤３０は四角形状の合板よりなり、その周縁部が樹脂ベース（内枠１４）の裏側に当接した状態で取着されている。従って、遊技盤３０の前面部の略中央部分（後述する遊技領域３１）が樹脂ベースの窓孔２４を通じて内枠１４の前面側に露出した状態となっている。また、窓穴２１には、２枚のガラス５０（図３参照）が前後に所定間隔を隔てて取着されている。
【００４７】
図１に示すように、遊技盤３０は、遊技球Ｂが転動可能な遊技領域３１を備えており、この遊技領域３１に、一般入賞口（図示省略）、可変入賞装置３２、第１の始動口３３（例えば作動チャッカ）、第２の始動口３４（例えばスルーゲート）、可変表示装置ユニット３５等が備えられている。これらの一般入賞口、可変入賞装置３２、第１の始動口３３（例えば作動チャッカ）、第２の始動口３４（例えばスルーゲート）、可変表示装置ユニット３５等は、遊技盤３０における、ルータ加工によって形成された各貫通孔にそれぞれに配設され、遊技盤３０前面側から木ネジ等により取り付けられている。前述の一般入賞口３１、可変入賞装置３２および第１の始動口３３に遊技球Ｂが入球し、当該入球が図示省略した検出スイッチ（入賞口スイッチ、カウントスイッチ、作動口スイッチ等）で検出され、この検出スイッチの出力に基づいて、球皿２２へ所定数の賞品球が払い出される。その他に、遊技盤３０にはアウト口３６が設けられており、各種入賞装置等に入球しなかった遊技球Ｂはこのアウト口３６を通って図示しない球排出路の方へと案内されるようになっている。遊技盤３０には、遊技球Ｂの落下方向を適宜分散、調整等するために多数の釘が植設されているとともに、風車３７等の各種部材（役物）が配設されている。
【００４８】
可変表示装置ユニット３５は、第１の始動口３３への入賞をトリガとして、識別情報としての第１図柄（例えば特別図柄）を変動表示する第１図柄表示装置４５と、第２の始動口３４の通過をトリガとして、第２図柄（例えば普通図柄）を変動表示する第２図柄表示装置４６とを備えている。
【００４９】
第１図柄表示装置４５は液晶表示装置として構成されており、表示制御装置（図示省略）により表示内容が制御される。第１図柄表示装置４５には、例えば左、中及び右の３つの図柄列が表示される。各図柄列は複数の図柄によって構成されており、これら図柄が図柄列毎にスクロールされるようにして第１図柄表示装置４５に可変表示されるようになっている。なお本実施の形態では、第１図柄表示装置４５（液晶表示装置）は８インチサイズの大型の液晶ディスプレイを備える。可変表示装置ユニット３５には、第１図柄表示装置４５を囲むようにしてセンターフレーム４７が配設されている。また、遊技球Ｂが第１の始動口３３を通過した回数は最大４回まで保留され、その保留回数が保留ランプにて点灯表示されるようになっている。なお、第１図柄変動の保留ランプは、第１図柄表示装置４５の一部で変動表示される構成としているが、複数のランプの点灯を切り換えることにより変動表示される構成であっても良い。
【００５０】
第２図柄表示装置４６は、第２図柄用の表示部と第２図柄変動の保留ランプとを有し、遊技球Ｂが第２の始動口３４を通過する毎に表示部による表示図柄（普通図柄）が変動し、その変動表示が所定図柄で停止した場合に第１の始動口３３が所定時間だけ作動状態となる（開放される）よう構成されている。遊技球Ｂが第２の始動口３４を通過した回数は最大４回まで保留され、その保留回数が保留ランプにて点灯表示されるようになっている。なお、第２図柄表示装置４６の表示部は、第１図柄表示装置４５（液晶表示装置）の一部で変動表示される構成としているが、複数のランプの点灯を切り換えることにより変動表示される構成であっても良い。第２図柄変動の保留ランプは、第１図柄表示装置４５の一部で変動表示される構成としているが、複数のランプの点灯を切り換える等の構成としても良い。
【００５１】
可変入賞装置３２は、通常は遊技球Ｂが入賞できない又は入賞し難い閉状態になっており、大当たりの際に遊技球Ｂが入賞しやすい開状態と通常の閉状態とに繰り返し作動されるようになっている。より詳しくは、第１の始動口３３に対し遊技球Ｂが入賞すると第１図柄表示装置４５で図柄が変動表示され、その停止後の確定図柄が予め設定した特定の図柄の組合せとなった場合に特別遊技状態が発生する。そして、可変入賞装置３２の大入賞口が所定の開放状態となり、遊技球Ｂが入賞しやすい状態（大当たり状態）になるよう構成されている。具体的には、所定時間の経過又は所定個数の入賞を１ラウンドとして、可変入賞装置３２の大入賞口が所定回数繰り返し開放される。
【００５２】
図２に示すように、遊技球発射装置４０は、パチンコ機１０の裏面側（背面側）に設けられている。具体的には、遊技球発射装置４０は、球皿ユニット１８の背面側で、かつ、遊技盤３０の遊技領域３１の面よりも背後側に遊技球発射装置４０が設けられている。
【００５３】
また、図１，図２に示すように、遊技盤３０の裏面側（背面側）には、遊技球発射装置４０から発射された遊技球Ｂを遊技盤３０の遊技領域３１の上部へ案内するための誘導通路部６０が取り付けられており、遊技球発射ハンドル１６の回動操作に伴い発射された遊技球Ｂは誘導通路部６０を通じて遊技領域３１の方に案内されるようになっている。誘導通路部６０は、その内径を遊技球Ｂが通過可能な大きさとした中空管であり、例えば、樹脂成型品（例えば、フッ素樹脂が添加されて成形されたもの）にて構成されている。この誘導通路部６０を金属製などとしてもよい。
【００５４】
図２に示すように、誘導通路部６０の遊技球出力側には、遊技盤３０をその背面側から前面側に貫通した通路であって、その背面側の開口部が誘導通路部６０に連通された貫通通路部６２が設けられている。本実施例では、誘導通路部６０は、貫通通路部６２が一体的に形成されたものとしているが、誘導通路部６０と貫通通路部６２とを着脱自在な構成としてもよい。
【００５５】
また、図１、図３に示すように、貫通通路部６２の前面側の開口部６２ａには、曲通路部７０が連通されている。図３は、図１のパチンコ機１０でのＡ−Ａ線断面図である。図３に示すように、曲通路部７０は、入力側開口部７２が貫通通路部６２の前面側の開口部６２ａに連通され、出力側開口部７４が遊技盤３０の前面側で遊技領域３１の面に対して垂直（略垂直としてもよい）に向けられたものであり、かつ、遊技盤３０の遊技領域３１から外側に向かう方向から当該遊技領域３１に平行となる方向（図３に一点鎖線で示す矢印方向）に曲げられたものである。
【００５６】
また、曲通路部７０は、図３に示すように、貫通通路部６２を通過してきた遊技球Ｂが接触して遊技領域３１に平行に出力されるように曲げられた曲面部７６を備えている。この曲面部７６としては、遊技球Ｂの出力方向を変更するように湾曲し、かつ、その断面も円弧状とした曲板を採用しているが、少なくとも遊技球Ｂの出力方向を変更するように湾曲した面を有する管部材、筒部材などを採用するようにしてもよい。
【００５７】
また、曲通路部７０は、図３に示すように、その入力側開口部７２に貫通通路部６２が連通された状態において、曲面部７６での遊技球入力側の端部７６ａを貫通通路部６２に付勢させる付勢部材８０を備えている。この付勢部材８０としては、ねじりバネなどが挙げられる。つまり、ねじりバネの一端側が曲通路部７０に固定され、ねじりバネの他端が曲面部７６の裏面側で遊技球出力端部に取り付けられている。また、付勢部材８０としては、曲通路部７０の入力側開口部７２に貫通通路部６２が連通された状態において、曲面部７６での遊技球入力側の端部７６ａを貫通通路部６２に付勢させるものであれば種々のものを採用してもよい。なお、上述した付勢部材８０が本発明における付勢手段に相当する。
【００５８】
また、本実施例のパチンコ機１０は、図３、図４に示すように、貫通通路部６２の取り付け位置を調整自在な位置調整機構部９０を備えている。図４（ａ）は、位置調整機構部９０の概略平面図であり、図４（ｂ）は位置調整機構部９０の概略斜視図である。位置調整機構部９０は、遊技盤３０の一部の箇所を刳り貫いた空間内に設けられている。位置調整機構部９０は、遊技盤３０の幅方向と平行な溝部９１を備えた台板９２と、この台板９２の溝部９１に嵌合する凸部（図示省略）を備え、台板９２上をその溝方向に摺動自在な移動板９４と、この移動板９４上に設けられた、貫通通路部６２を支持する支持部９６と、移動板９４を台板９２に対して固定するための固定部９８とを備えている。
【００５９】
支持部９６は、図４（ｂ）に示すように、Ｕ字形状のものとしており、このＵ字形状部分に貫通通路部６２を嵌め込み支持するようになっている。固定部９８としては、移動板９４の両端側に設けられた貫通孔に挿入されるネジ部が挙げられ、このネジ部を螺入することで当該ネジ部のネジ頭が台板９２の下側の遊技盤３０の該当箇所に押し付けられた状態をつくることで移動板９４を固定することができる。なお、上述した位置調整機構部９０が本発明における位置調整手段に相当する。
【００６０】
図４に示すように、固定部９８による移動板９４の固定を解除した状態で、この移動板９４を遊技盤３０の幅方向（図４に矢印で示す方向）に移動調整することができる。移動板９４を目的の位置に合わせた後に固定部９８による移動板９４の固定を行うことで、移動板９４が固定される。
【００６１】
図３に示すように、曲通路部７０の出力側開口部７４の方には戻り球防止部材５３が取着されている。戻り球防止部材５３は、図３に実線で示す状態に比較的弱い力で付勢されており、曲通路部７０から遊技球Ｂが出力されると、この遊技球Ｂが戻り球防止部材５３に当たり、図３に二点鎖線で示すように退けられて通過する。戻り球防止部材５３は遊技球Ｂが通過すると図３に実線で示す姿勢となり、この状態で逆方向から遊技球Ｂが衝突されたとしてもこの戻り球防止部材５３は図３に実線で示す状態のままとなっている。これにより、一旦、曲通路部７０の出力側開口部７４から遊技盤３０の上部へと案内された遊技球Ｂが再度曲通路部７０内に戻ってしまうといった事態が防止されるようになっている。
【００６２】
また、図１に示すように、遊技盤３０の正面視で、遊技球Ｂの最大飛翔部分に対応する位置（図１の右上部）には、返しゴム５４が取着されている。従って、所定以上の勢いで発射された遊技球Ｂは、返しゴム５４に当たって跳ね返されるようになっている。
【００６３】
ここで、図５を用いて、誘導通路部６０の貫通通路部６２を位置調整機構部９０の支持部９６への取り付けについて説明する。図５（ａ）は貫通通路部６２の取り付け前状態での曲通路部７０などを示す断面図であり、図５（ｂ）は貫通通路部６２の取り付けた状態での曲通路部７０などを示す断面図である。
【００６４】
図５（ａ）に示すように、貫通通路部６２の取り付け前状態での曲通路部７０は、付勢部材８０によって、その曲面部７６の遊技球入力側の端部７６ａが位置調整機構部９０に入り込んだ状態となっている。図５（ｂ）に示すように、貫通通路部６２の前面側の開口部６２ａの外縁側に、曲面部７６の遊技球入力側の端部７６ａを当接させるようにして、この貫通通路部６２を位置調整機構部９０の支持部９６に取り付ける。曲面部７６での遊技球入力側の端部７６ａを貫通通路部６２に付勢させるので、曲面部７６での遊技球入力側の端部７６ａを隙間無く貫通通路部６２に当接させた状態が維持される。
【００６５】
ここで、遊技球発射装置４０から発射された遊技球Ｂが誘導通路部６０、貫通通路部６２、曲通路部７０を通って遊技盤３０の遊技領域３１に打ち込まれる様子について以下に説明する。
【００６６】
図１，図２に示すように、遊技者が遊技球発射ハンドル１６を回動操作すると、その回動角に応じた強さでハンマ４４が遊技球Ｂを打撃することになる。ハンマ４４で打撃された遊技球Ｂは誘導通路部６０、貫通通路部６２をその順に通っていった後、曲通路部７０に到達する。
【００６７】
図３に示すように、曲通路部７０では、貫通通路部６２から出力された遊技球Ｂが曲面部７６に当接して沿うように進んでいく。曲面部７６は貫通通路部６２を通過してきた遊技球Ｂが接触して遊技領域３１に平行に出力されるように曲げられたものであるので、この曲面部７６に沿って進んでいくことで、貫通通路部６２から出力された遊技球Ｂの出力方向が遊技領域３１と平行な方向に変更されることになる。つまり、曲通路部７０から遊技球Ｂが遊技領域３１とガラス５０との間で遊技領域３１と平行な方向に出力される。
【００６８】
上述したように、本実施例１のパチンコ機１０によれば、遊技盤３０の前面側に形成された遊技領域３１の背面側に設けられた、遊技球発射装置４０により発射された遊技球Ｂを遊技盤３０の背面側の所定箇所まで誘導案内する誘導通路部６０と、遊技盤３０をその背面側から前面側に貫通した通路であって、その背面側の開口部が誘導通路部６０に連通された貫通通路部６２と、入力側開口部７２が貫通通路部６２の前面側の開口部６２ａに連通され、出力側開口部７４が遊技盤３０の前面側で遊技領域３１の面に対して垂直に向けられた、遊技盤３０の遊技領域３１から外側に向かう方向から当該遊技領域３１に平行となる方向に曲げられた曲通路部７０と、を備えているので、遊技球発射装置４０から発射された遊技球Ｂは、遊技盤３０の遊技領域３１の背面側に設けられた誘導通路部６０を通って遊技領域３１の方に誘導案内されるので、従来例のような遊技盤の前面側の誘導領域を設けることを不要にでき、当該誘導領域が無くなった分、遊技領域を拡大することができる。しかも、曲通路部７０によって遊技球Ｂを遊技領域３１に対して平行に出力することができるので、遊技盤３０の背面側から前面側に供給されてきた遊技球Ｂが、遊技領域３１に対して所定間隔（例えば遊技球２個分程度の間隔）を空けて配設されている視認窓（ガラス５０）に直接に衝突するようなことを防止でき、前記の衝突に起因する視認窓（ガラス５０）の損傷を解消することができる。
【００６９】
また、曲通路部７０は、貫通通路部６２を通過してきた遊技球Ｂが接触して遊技領域３１に平行に出力されるように曲げられた曲面部７６を備えているので、遊技盤３０の背面側から前面側に供給されてきた遊技球Ｂが、遊技領域３１に対して所定間隔（例えば遊技球２個分程度の間隔）を空けて配設されている視認窓（ガラス５０）に直接に衝突するようなことを防止でき、前記の衝突に起因する視認窓（ガラス５０）の損傷を解消することができる。
【００７０】
また、曲通路部７０は、その入力側開口部７２に貫通通路部６２が連通された状態において、曲面部７６での遊技球入力側の端部７６ａを貫通通路部６２に付勢させる付勢部材８０を備えているので、曲面部７６での遊技球入力側の端部７６ａを隙間無く貫通通路部６２に当接させることができ、貫通通路部６２を曲通路部７０に高精度に取り付ける必要がなく、貫通通路部６２の曲通路部７０に対する取り付け誤差を吸収することができる。また、貫通通路部６２の取り付け作業を容易にすることができる。
【００７１】
また、位置調整機構部９０は、貫通通路部６２の取り付け位置を調整自在なものとしているので、貫通通路部６２の取り付け位置を調整でき、遊技球Ｂの曲通路部７０への供給態様を調整することができる。例えば、貫通通路部６２を内在するための空間（空洞）をルータ加工やドリル加工などで形成する場合には、当該空間（空洞）の形成位置がずれていることがあり、位置調整機構部９０により、貫通通路部６２の取り付け位置を調整（微調整など）できるので、前記空間（空洞）の形成位置がずれた遊技盤３０を廃棄することなく活用できるし、ルータ加工などを高精度化することも不要であり、非常に有効である。
【実施例２】
【００７２】
次に、実施例２のパチンコ機１０について図６、図７を用いて説明する。図６は、実施例２のパチンコ機１０の概略正面図であり、図７は、図６に示すパチンコ機１０のＢ−Ｂ線断面図である。
【００７３】
前述の実施例１のパチンコ機１０では、誘導通路部６０を遊技盤３０の背面側に設ける一例について説明したものであり、実施例２のパチンコ機１０では、その誘導通路部６０を、遊技盤３０の背面側の所定箇所を例えばルータ加工で削成した取付用溝部６４を形成し、この取付用溝部６４に誘導通路部６０を嵌め込んでいる点が、前述の実施例１とは異なっている。
【００７４】
図６、図７に示すように、遊技盤３０の背面側には、その背面側での所定の経路（ルート）部分を例えばルータ加工で削成することで取付用溝部６４が形成されている。誘導通路部６０は、遊技盤３０の背面側の取付用溝部６４に嵌め込まれる、内部に遊技球Ｂが通過可能な中空筒部としている。なお、上述した取付用溝部６４が本発明における溝部に相当する。
【００７５】
なお、遊技盤３０の背面側に形成した取付用溝部６４は、例えばルータ加工で削成されたものとしているが、金型に原材料（例えば樹脂材料など）を流し込むことで取付用溝部６４が形成された遊技盤３０を製造したり、原型材料をプレス成形することで取付用溝部６４を形成された遊技盤３０を製造したりなど、種々の製造方法で取付用溝部６４を生成するようにしてもよい。
【００７６】
上述したように、本実施例２のパチンコ機１０によれば、遊技盤３０の前面側に形成された遊技領域３１の背面側に設けられた、遊技球発射装置４０により発射された遊技球Ｂを遊技盤３０の背面側の所定箇所まで誘導案内する誘導通路部６０と、遊技盤３０をその背面側から前面側に貫通した通路であって、その背面側の開口部が誘導通路部６０に連通された貫通通路部６２と、を備え、遊技盤３０は、その背面側に削成された取付用溝部６４を備え、誘導通路部６０は、遊技盤３０の背面側の取付用溝部６４に嵌め込まれる、内部に遊技球Ｂが通過可能な中空筒部としているので、遊技球発射装置４０から発射された遊技球Ｂは、遊技盤３０の遊技領域３１の背面側に設けられた誘導通路部６０を通って遊技領域３１の方に誘導案内されるので、従来例のような遊技盤の前面側の誘導領域を設けることを不要にでき、当該誘導領域が無くなった分、遊技領域を拡大することができる。しかも、遊技盤３０は、その背面側に削成された取付用溝部６４を備え、誘導通路部６０は、遊技盤３０の背面側の取付用溝部６４に嵌め込まれる、内部に遊技球Ｂが通過可能な中空筒部としているので、誘導通路部６０は遊技盤３０の厚み方向に埋め込んだ格好となり、誘導通路部６０の遊技盤３０の背面側への突出量を低減でき、誘導通路部６０のスペースを最小限に抑えることができ、スペースメリットを出すことができる。
【００７７】
例えば、貫通通路部６２を内在するための空間（空洞）や取付用溝部６４をルータ加工やドリル加工などで形成する場合には、当該空間（空洞）や取付用溝部６４の形成位置がずれていることがあり、位置調整機構部９０により、貫通通路部６２の取り付け位置を調整（微調整など）できるので、前記空間（空洞）の形成位置がずれた遊技盤３０を廃棄することなく活用できるし、ルータ加工などを高精度化することも不要であり、非常に有効である。
【００７８】
なお、前述した取付用溝部６４に替えて、遊技盤３０の背面側から前面側まで切り抜かれた切り抜き溝部を採用し、誘導通路部６０は、遊技盤３０の切り抜き溝部に嵌め込まれる、内部に遊技球Ｂが通過可能な中空筒部とし、この中空筒部は、少なくともその前面側の一部が、当該中空通路部の内部を通過する遊技球Ｂを視認可能としてもよい。例えば、中空通路部の内部を通過する遊技球Ｂを視認可能な構成としては、少なくとも中空筒部の前面側の一部を透明または半透明とすることや、少なくとも中空筒部の前面側の一部に、遊技球Ｂが脱出しない程度の大きさの隙間部を設けることが挙げられる。
【実施例３】
【００７９】
次に、実施例３のパチンコ機１０について説明する。
【００８０】
実施例３のパチンコ機１０は、前述の実施例１，２に対して誘導通路部６０が柔軟性部材で形成されている点が異なっている。
【００８１】
誘導通路部６０は、柔軟性部材で形成されたものとしているので、遊技球Ｂの通過に問題のない範囲（支障を来たさない範囲）でその形状を自在に変形することができ、遊技盤３０の裏面側に配設された各種の部品装置（可変表示装置ユニット３５、主制御基板、表示制御基板など）の形状に沿わせた形状に変形できる。
【００８２】
なお、本実施例３では、誘導通路部６０を柔軟性部材で形成されたものとしているので、任意の箇所を変形自在となっているが、誘導通路部６０を、変形不可な通路部と、２本の通路部の間に設けられ、かつ、通路部と接続可能な関節通路部とを１組とするものを１個以上有するものとしてもよい。通路部間に関節通路部を設けることで、当該関節通路部で通路部の方向を変えるようにしてもよい。両通路部とその間の関節通路部とを１組とするもの増加させるほどより細かい姿勢変更に対応できる。この場合にも、遊技盤３０の裏面側に配設された各種の部品装置（可変表示装置ユニット３５、主制御基板、表示制御基板など）の形状に沿わせた形状に変形できる。
【００８３】
上述したように、本実施例３のパチンコ機１０によれば、誘導通路部６０は、柔軟性部材で形成されたものとしているので、その通路形状に柔軟性があり、遊技球Ｂの通過に悪影響が生じない範囲内で自由に曲げたりでき、遊技機（パチンコ機１０）の機種変更などの場合ように遊技盤３０の背面側の部品装備状態が設計変更されたとしても柔軟に対応することができる。
【実施例４】
【００８４】
次に、実施例４のパチンコ機１０について図８，図９を用いて説明する。図８は、実施例４のパチンコ機１０の概略正面図であり、図９は、実施例４のパチンコ機１０の裏面側で斜め方向から見た概略斜視図である。
【００８５】
実施例４のパチンコ機１０は、遊技球発射装置４０が遊技盤３０の裏面側（背面側）に設けられている点が、前述の実施例１〜３と異なっている。
【００８６】
図８，図９に示すように、遊技球発射装置４０は、遊技盤３０の裏面側（背面側）の所定箇所に設けられている。誘導通路部６０は、前述の実施例１〜３のいずれかのものを採用している。
【００８７】
上述したように、本実施例４のパチンコ機１０によれば、遊技球発射装置４０は遊技盤３０の背面側に設けられているので、誘導通路部６０、つまり、遊技球発射装置４０で発射された遊技球Ｂを遊技盤３０の背面側の所定箇所まで誘導案内する通路を短くでき、従来例のものと比べて遊技球発射手段（遊技球発射装置）での発射出力が小さくて済む。また、遊技盤３０の前面側で、かつ、遊技盤３０の下方位置に存在していた従来例の遊技球発射装置や発射レールを除去できるので、その空いたスペースを利用することができる。例えば、遊技盤３０をその下方方向に拡大することができ、下方方向に拡大した遊技領域を形成することができる。
【００８８】
この発明は、上記実施形態に限られることはなく、下記のように変形実施することができる。
【００８９】
（１）上述した各実施例では、誘導通路部６０は、図１，図６，図８に示すように、その正面視で円弧状としているが、例えば、パチンコ機１０を正面視した状態で左端部側で垂直あるいは略垂直に延びる直線状のものとしてもよい。
【００９０】
また、遊技球発射装置４０を貫通通路部６２に近づけて配置する程、誘導通路部６０の長さを短くすることができ、小さな打撃力で遊技球Ｂを遊技領域３１に出射することができる。
【００９１】
（２）上述した各実施例では、単一の球皿２２を備えたパチンコ機としているが、球皿２２とは別の球皿部をさらに設けるようにしてもよい。この球皿部としては、球皿２２に遊技球Ｂが大量に貯留されている場合に、払い出される遊技球Ｂが貯留されるものである。
【００９２】
（３）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【００９３】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【００９４】
以上のように、この発明は、パチンコ機やスロットマシン等の遊技機に適している。
【図面の簡単な説明】
【００９５】
【図１】実施例１のパチンコ機の概略正面図である。
【図２】図２は実施例１のパチンコ機の裏面側で斜め方向から見た概略斜視図である。
【図３】図１のパチンコ機でのＡ−Ａ線断面図である。
【図４】（ａ）は位置調整機構部の概略平面図であり、（ｂ）は位置調整機構部の概略斜視図である。
【図５】（ａ）は貫通通路部の取り付け前状態での曲通路部などを示す断面図であり、（ｂ）は貫通通路部の取り付けた状態での曲通路部などを示す断面図である。
【図６】実施例２のパチンコ機の概略正面図である。
【図７】図６に示すパチンコ機のＢ−Ｂ線断面図である。
【図８】実施例４のパチンコ機の概略正面図である。
【図９】実施例４のパチンコ機の裏面側で斜め方向から見た概略斜視図である。
【符号の説明】
【００９６】
１６  …遊技球発射ハンドル（操作手段）
３０  …遊技盤
４０  …遊技球発射装置（遊技球発射手段）
６０  …誘導通路部
６２  …貫通通路部
６４  …取付用溝部（溝部）
７０  …曲通路部
７６  …曲面部
８０  …付勢部材（付勢手段）
９０  …位置調整機構部（位置調整機構手段）
【図１】
2006115959.tif 000003
【図２】
2006115959.tif 000004
【図３】
2006115959.tif 000005
【図４】
2006115959.tif 000006
【図５】
2006115959.tif 000007
【図６】
2006115959.tif 000008
【図７】
2006115959.tif 000009
【図８】
2006115959.tif 000010
【図９】
2006115959.tif 000011